(57)【要約】【課題】  携帯用通信端末から送信されるデータを簡単にプロジェクタで表示することができるプロジェクタを提供する。【解決手段】  本発明に係るプロジェクタ２００は、携帯電話１００から送信されるデータを受信するデータ受信部２１０と、データ受信部２１０によって受信されたデータを蓄積するメモリ２２０と、メモリ２２０から読み出されたデータをＤＭＤ用のデータに変換するＤＭＤフォーマッタ２３０と、ＤＭＤフォーマッタ２３０からの画像データをＤＭＤ２４０により光学的に変調して投影表示する照明光学系２５０および投射光学系２６０とを有するものである。【選択図】    図２
2005292703.tif 000002
【特許請求の範囲】
【請求項１】
携帯用通信端末から送信されるデータを受信する受信手段と、
前記受信手段により受信されたデータを光学的に変調して投影表示する投影手段と、
を有するプロジェクタ。
【請求項２】
受信手段は、携帯用通信端末から無線通信により文字データを受信する、請求項１に記載のプロジェクタ。
【請求項３】
投影手段は、受信手段がデータを受信したとき処理を開始し、受信した文字データを投影表示する、請求項１または２に記載のプロジェクタ。
【請求項４】
投影手段は、受信した文字データを他の画像データに合成して投影表示する、請求項３に記載のプロジェクタ。
【請求項５】
投影手段は、文字データの表示位置を可変する、請求項１ないし４いずれか１つに記載のプロジェクタ。
【請求項６】
プロジェクタはさらに、複数の文字コードと該文字コードに対応する定型文とを記憶する定型文記憶手段を含み、投影手段は、受信した文字データに含まれる文字コードに対応する定型文を投影表示する、請求項１ないし４いずれか１つに記載のプロジェクタ。
【請求項７】
受信手段により文字データの送信を示す識別データが受信されたとき、それ以降に受信するデータを文字データとしてメモリに蓄積し、遠隔操作に関する操作データが受信されたとき、メモリに蓄積された文字データを無効にする、請求項１ないし６いずれか１つに記載のプロジェクタ。
【請求項８】
プロジェクタはさらに、受信手段が複数の携帯用通信端末から所定のデータを受信したとき、当該所定のデータ数をカウントするカウント手段を有し、投影手段は、カウント手段によってカウントされた数を投影表示する、請求項１に記載のプロジェクタ。
【請求項９】
所定のデータは、賛成または反対を意味する文字データである、請求項８に記載のプロジェクタ。
【請求項１０】
請求項１ないし９いずれか１つに記載のプロジェクタと、
プロジェクタに対してデータを送信する携帯用通信端末と、
を有するプロジェクタシステム。
【発明の詳細な説明】
【技術分野】
【０００１】
本発明は、プロジェクタおよびプロジェクタシステムに関し、特に、携帯電話等の通信端末からのデータを受信し、これを表示する機能を備えたプロジェクタに関する。
【背景技術】
【０００２】
携帯電話等の携帯通信端末の発達に伴い、携帯通信端末とデータの送受を可能とする電子機器の実用化が進められている。例えば、携帯電話から、テレビやビデオ等の電源のオン・オフ、チャンネルの切り替え、音声出力の変更等の遠隔操作を可能にしている。また、特許文献１では、プロジェクタやディジタルカメラ等のネットワーク機器のＵＲＬまたはＩＰアドレスをクライアントに公開することなく、携帯電話等の端末からサーバーを介してネットワーク機器を遠隔操作することが可能な技術を開示している。
【０００３】
【特許文献１】特開２００３−２４４１８３号
【発明の開示】
【発明が解決しようとする課題】
【０００４】
しかしながら、従来の携帯電話は、リモコンの代用として電子機器を遠隔操作する機能を主としている。つまり、携帯電話の応用範囲は限られたものであり、携帯電話からのデータをプロジェクタにおいて利用することができなかった。このため、例えば、プロジェクタを用いてプレゼンテーション資料を表示する場合、その資料の訂正や追加などを急遽必要とする場合がある。あるいは、出席者の注意を喚起したいときに、その旨をプレゼンテーション資料に重ねて表示させたい場合もある。このような場合、パーソナルコンピュータを起動させ、プレゼンテーション資料を修正することも可能であるが、その作業は一定の時間を必要とし、かつ、ユーザにとって煩雑であり、機敏性、利便性に欠けるという課題がある。
【０００５】
本発明は、上記従来の課題を解決し、携帯用通信端末から送信されるデータを簡単にプロジェクタで表示することができるプロジェクタおよびプロジェクタシステムを提供することを目的とする。
さらに本発明は、ユーザにとって、利便性、操作性に優れた表記機能を有するプロジェクタおよびプロジェクタシステムを提供することを目的とする。
【課題を解決するための手段】
【０００６】
本発明に係るプロジェクタは、携帯用通信端末から送信されるデータを受信する受信手段と、前記受信手段により受信されたデータを光学的に変調して投影表示する投影手段とを有するものである。好ましくは、受信手段は、携帯用通信端末から無線通信により文字データを受信する。また、投影手段は、受信手段がデータを受信したとき処理を開始し、受信した文字データを投影表示する。
【０００７】
好ましくは、投影手段は、受信した文字データを他の画像データに合成して投影表示することができる。また、投影手段は、文字データの表示位置を可変することができる。
【０００８】
プロジェクタはさらに、複数の文字コードと該文字コードに対応する定型文とを記憶する定型文記憶手段を含み、投影手段は、受信した文字データに含まれる文字コードに対応する定型文を投影表示するようにしてもよい。
【０００９】
好ましくは、受信手段により文字データの送信を示す識別データが受信されたとき、それ以降に受信するデータを文字データとしてメモリに蓄積し、遠隔操作に関する操作データが受信されたとき、メモリに蓄積された文字データを無効にする。
【００１０】
プロジェクタはさらに、受信手段が複数の携帯用通信端末から所定のデータを受信したとき、当該所定のデータ数をカウントするカウント手段を有し、投影手段は、カウント手段によってカウントされた数を投影表示するようにしてもよい。例えば、所定のデータは、賛成または反対を意味する文字データである。これにより、プロジェクタを投票システムとして利用することができる。
【発明の効果】
【００１１】
本発明に係るプロジェクタによれば、携帯通信端末から送信されたデータを投影表示できるようにしたので、機敏性、利便性に優れたプロジェクタを提供することができる。また、複数の携帯端末から賛成、反対等の文字またはコードを送信し、これをカウントすることで、表示機能を備えた投票システムとして利用することができる。
【発明を実施するための最良の形態】
【００１２】
本発明に係るプロジェクタは、好ましくはＤＬＰ方式の前面投写型プロジェクタにおいて実施される。以下、図面を参照して詳細に説明する。
【実施例】
【００１３】
図１は、本発明の好ましい実施例に係るプロジェクタシステムの一態様を示している。携帯電話１００とプロジェクタ２００とは、赤外線を利用した送受信装置によって接続されており、プロジェクタ２００は、携帯電話１００から送信されたデータを受信し、かつ、これを投射表示する機能を備えている。
【００１４】
図２は、図１の各装置の内部構成を示すブロック図である。携帯電話１００は、他の携帯電話や固定電話等と音声データ等の送受信を行うための音声通信部１１０、ＣＣＤやＣＭＯＳセンサーにより静止画や動画を撮像する撮像部１２０、テレビ放送を受信するＴＶチューナー１３０、キーボードやタッチパネル等から操作指示、電話番号、文字等を入力する入力部１４０、液晶パネル等に画像、メール等の種々のデータを表示する表示部１５０、半導体メモリ等にデータを記憶する記憶部１６０、および外部機器とデータの通信を行うデータ通信部１７０を備えている。
【００１５】
データ通信部１７０は、無線ＬＡＮやブルーツース等の近距離無線通信規格により外部機器とのデータの通信が可能であるが、本実施例では、赤外線通信によりデータの送受を行うものとする。データ通信部１７０により、携帯電話１００からプロジェクタ２００に対して、遠隔操作のためのデータの送信に加えて、文字等のデータを送信することができる。
【００１６】
プロジェクタ２００は、携帯電話１００から送信されるデータを受信するデータ受信部２１０、データ受信部２１０で受信されたデータを記憶するメモリ２２０、メモリ２２０から読み出されたデータをＤＭＤの画素数に対応するフォーマットプレーンに変換し、ＲＧＢデジタル画像データを出力するＤＭＤフォーマッタ２３０、ＤＭＤフォーマッタ２３０からの画像データに応答して動作するＤＭＤ（Digital Micro-Mirror Device）２４０、赤、緑、青の光をシーケンシャルにＤＭＤ２４０に照射する照明光学系２５０、ＤＭＤ２４０から反射された光を投影する投影光学系２６０、およびこれらの各部を制御するマイクロプロセッサ２７０とを含んで構成される。
【００１７】
照明光学系２５０は、光源からの光をカラーホイールにより、赤、緑、青（または白）の光に分光し、これをライトトンネル等の光学部材を介してＤＭＤ２４０に照明する。ＤＭＤ２４０の各ミラー画素は、赤、緑、青の照明と同期したタイミングで、ＤＭＤフォーマッタ２３０からの画像データに応じて駆動される。ＤＭＤ２４０のオン状態のミラー画素によって反射された光は投影光学系２６０を介してスクリーン上に表示される。
【００１８】
マイクロプロセッサ２７０は、好ましくは、プログラムメモリに所望のプログラムデータを記憶し、当該プログラムに従い、各部の動作制御を行う。本実施例では、携帯電話１００からのデータを受信したときに処理を開始し、受信したデータを投影表示させるプログラムを含んでいる。
【００１９】
次に、携帯電話１００から送信された文字データをプロジェクタ２００に表示させるときの動作を図３のフローチャートを参照して説明する。なお、以下の例は、携帯電話１００から文字データを送信し、これをプロジェクタ２００において表示させる。その際、データフォーマットとして、遠隔操作用のＩＲフォーマットを利用し、そこに文字データを埋め込む。
【００２０】
携帯電話１００において、ユーザが入力部１４０のキーボード等から入力した任意の文字データ、記憶部１６０に蓄積された文字データ、あるいはメールとして受信した文字データが、携帯電話１００のデータ通信部１７０からプロジェクタ２００のデータ受信部２１０へ送信される（ステップＳ１０１）。文字データの送信の指示は、ユーザが携帯電話１００の所望のキー操作によって行うことができる。
【００２１】
マイクロプロセッサ２７０は、データ受信部２１０にてデータ受信をすると、処理を開始し（ステップＳ１０２）、受信したデータが文字列送信コードか否かを判別する（ステップＳ１０３）。ＩＲフォーマットにおけるデータ送信は、図４（ａ）に示すように、データ通信は１０８ｍｓの間隔で行われ、携帯電話１００から文字データの送信が行われる場合には、最初のデータとして、文字列送信コマンドが送られる。マイクロプロセッサ２７０は、文字列送信コードを受信したときは、以降に文字データが送信されることを認識し、文字列送信コード以外のときは、遠隔操作用のコマンドであると認識する。
【００２２】
受信データが、文字列送信コードでないと判別されたとき、マイクロプロセッサ２７０は、遠隔操作用のコマンドに応答してプロジェクタ２００の動作を制御する（ステップＳ１０４）。
【００２３】
文字列送信コードが送信されたとき、次のデータには、文字データのサイズを示すための文字列長データが送信される。文字列長データが受信されると（ステップＳ１０５）、マイクロプロセッサ２７０は、送信される文字データのサイズを認識し、それらの文字データが蓄積されるようにメモリ２２０への書き込み制御を行う（ステップＳ１０６）。
【００２４】
マイクロプロセッサ２７０は、データ受信部２１０で受信されるデータを監視し、データが１０８ｍｓの周期で途切れなく受信されているか否か（ステップＳ１０７）、および、リピートコードが含まれていないかどうかをチェックする（ステップＳ１０８）。リピートコードとは、遠隔操作に用いられるコマンドであり、例えば、ある対象を右へ移動させるような場合、移動コマンドを何度も送信することなく、リピートコードにより移動を連続させることができる。図４（ｂ）に示すように、文字データの受信中にリピートコードが含まれているとき、または図４（ｃ）に示すように、文字データが一定期間途切れたとき、マイクロプロセッサ２７０は、メモリ２２０に蓄積された文字データを無効であると判定し、消去する（ステップＳ１０９）。
【００２５】
文字列長データによって規定された文字データがメモリ２２０に蓄積されると（ステップＳ１１０）、メモリ２２０から文字データが読出され、これがＤＭＤフォーマッタ２３０に供給される。ＤＭＤフォーマッター２３０は、図５に示すように、複数のＲＧＢプレーンＫ１、Ｋ２、Ｋ３、Ｋｎを作成する（ステップＳ１１０）。これらのプレーンによって１フレームが構成される。プレーン数ｎは、画像データの解像度、すなわち、ビット数に対応して決められる。
【００２６】
マイクロプロセッサ２７０は、現在入力している画像データＰと文字データとを合成することができる。例えば、図５（ｂ）に示すように、プレーンの予め定められた領域Ｓに文字データを合成させる（ステップＳ１１２）。これによって、画像データＰの中に、ＯＳＤ（Ｏｎ  Ｓｃｒｅｅｎ  Ｄｉｓｐｌａｙ：オンスクリーンディスプレイ）の形態で文字データが挿入される。マイクロプロセッサ２７０による合成画像は、メモリ２２０に記憶され、その画像データがＤＭＤフォーマッタ２３０へ供給される。
【００２７】
ＤＭＤフォーマッタ２３０によって形成されたフレームまたは画像データは、ＤＭＤ２４０に供給され、照明光学系２５０からの光が画像データに応じて空間変調され、変調された光が投射光学系２６０によってスクリーン上に表示される（ステップＳ１１３）。
【００２８】
こうして、ユーザは携帯電話１００から所望の文字データをプロジェクタ２００へ送信し、これをスクリーン上へ表示させることができる。プレゼンテーションなど資料を表示しているとき、急遽、データの追加を行いたいときや、視聴者への注意を喚起したいとき等、文字データを簡単にかつ迅速に表示させることができる。
【００２９】
上記実施例では、文字データを予め定められた領域Ｓに合成して表示させるようにしたが、これに限らず、携帯電話１００から位置を示すデータを、文字列長データの後に送信するようにしてもよい。文字データの表示位置を、例えば、中央、左右、上下などで指定するようにしてもよい。ＤＭＤフォーマッタ２３０は、位置データに応答したフレームを作成する。
【００３０】
さらに、上記実施例では、文字データを現在表示している画像データＰに合成するようにしたが、これ以外にも、文字データのみを表示させるようにしてもよい。携帯電話１００から画像データＰに合成させるか否かを指示する場合には、文字列送信コード以降において、合成の有無を示すコマンドを送信し、ＤＭＤフォーマッタ２３０がそれに対応するようにマイクロプロセッサ２７０が制御する。また、携帯電話１００からの文字データが一定のサイズを超える場合には、マイクロプロセッサ２７０は、文字データを画像データＰに合成しないようにしてもよい。
【００３１】
さらに、上記例では、ユーザからの任意の文章等を送信するようにしたが、これ以外にも、ユーザは、予め決められた文字コードを送信するようにしてもよい。この場合、携帯電話１００から、文字列送信コードが送信された後に、文字コードが送信される。ＤＭＤフォーマッタ２３０は、図６に示すように、文字コードに対応する定型文または定型句を備えたテーブルを備え、対応する定型文や定型句の文字データを含むフレームを作成することも可能である。
【００３２】
さらに、携帯電話１００に含まれているアドレス帳、カレンダー情報や、撮像部１２０によって撮像された画像データ、ＴＶチューナー１３０によって受信されたＴＶ映像をプロジェクタ２００に送信し、プロジェクタ２００において投影することも可能である。この場合、データ通信部１７０は、比較的高速で無線通信が可能なブルーツースを用いるようにしてもよい。あるいは、プロジェクタ２００にＩＰアドレスを設定し、ネットワーク対応させて、ＬＡＮケーブルなどを介して画像、映像、音声、文字等のデータを送信するようにしてもよい。
【００３３】
次に、本発明の第２の実施例について説明する。第２の実施例に係るプロジェクタは、複数の携帯電話１００から送信された文字データをカウントするようにし、プロジェクタシステムを投票システムに応用するものである。図７に示すように、ＤＭＤフォーマッタ２３０は、予め所定の文字データを登録した登録テーブル２３２と、メモリ２２０から読み出された文字データと登録テーブル２３２の内容とを比較する比較部２３４と、比較部２３４からの比較結果をカウントするカウント部２３６と、カウント部２３６からのカウント情報とＤＭＤフォーマットプレーンに変換するフレーム作成部２３８とを含んで構成される。
【００３４】
投票システムとして利用する場合には、複数のユーザが、「賛成」、「反対」、「どちらでもない」などの文字データ、またはそれらの文字コードを携帯電話１００から送信するようにする。
【００３５】
登録テーブル２３２には、例えば図８に示すような文字およびそれに対応する文字コードが予め複数登録されている。比較部２３４は、受信した文字データまたは文字コードが、登録テーブルのいずれに該当するかを判別し、その結果をカウント部２３６へ出力する。カウント部２３６は、比較部２３４の結果に基づき、受信した文字データまたは文字コードを集計する。集計されたデータは、フレーム作成部２３８に供給され、ここで、ＤＭＤ用のフォーマットに変換される。そして、図９に示すように、「賛成」、「反対」、「どちらでもない」の表示とともに、それらのカウント値が表示される。フォーマット作成部２３８は、現在入力している画像データＰに、ＯＳＤの形態で表示するようにしてもよいし、集計データのみを表示するようにしてもよい。
【００３６】
これにより、プロジェクタシステムにおいて、ユーザからの文字データまたはその意思を併せて表示することができ、簡便な投票システムを構築することができる。
【００３７】
以上、本発明の好ましい実施の形態について詳述したが、本発明は係る特定の実施形態に限定されるものではなく、特許請求の範囲に記載された本発明の要旨の範囲内において、種々の変形、変更が可能である。
【００３８】
上記実施例では、前面投射型のＤＬＰ方式のプロジェクタを例にしたが、これ以外にも背面投射型のプロジェクタ、液晶デバイスを光学変調素子に用いた液晶プロジェクタ等を用いることも可能である。さらに、上記実施例では、携帯電話を用いたが、これ以外にも、携帯用のパーソナルコンピュータやＰＤＡなどを用いてもよい。
【産業上の利用可能性】
【００３９】
本発明に係るプロジェクタは、携帯用通信端末から送信されたデータを投影表示する表示システムや、携帯用通信端末から送信されたデータをカウントする投票システムなどに利用することができる。
【図面の簡単な説明】
【００４０】
【図１】本発明の実施例に係るプロジェクタシステムの構成を示す図である。
【図２】プロジェクタシステムの内部構成を示すブロック図である。
【図３】プロジェクタシステムの動作を説明するフローチャートである。
【図４】文字データの送信例を示すタイムチャートである。
【図５】ＤＭＤフォーマッターによるフレームの構成を示す図である。
【図６】定型句または定型文と文字コードとの関係を示すテーブルである。
【図７】本発明の第２の実施例に係るプロジェクタの構成を示すブロック図である。
【図８】登録テーブルの内容を示す表である。
【図９】プロジェクタにおける投票結果の表示例を示す図である。
【符号の説明】
【００４１】
１００：携帯電話                    １１０：音声通信部
１２０：撮像部                      １３０：ＴＶチューナー
１４０：入力部                      １５０：表示部
１６０：記憶部                      １７０：データ通信部
２００：プロジェクタ                ２１０：データ受信部
２２０：メモリ                      ２３０：ＤＭＤフォーマッター
２４０：ＤＭＤ                      ２５０：照明光学系
２６０：投射光学系                  ２７０：投射光学系
【図１】
2005292703.tif 000003
【図２】
2005292703.tif 000004
【図３】
2005292703.tif 000005
【図４】
2005292703.tif 000006
【図５】
2005292703.tif 000007
【図６】
2005292703.tif 000008
【図７】
2005292703.tif 000009
【図８】
2005292703.tif 000010
【図９】
2005292703.tif 000011